(57)【特許請求の範囲】
【請求項１】
無線通信アンテナと、
前記無線通信アンテナを介して受信される信号が示す情報に含まれる通信チャネル情報を検出し、当該通信チャネル情報を出力するチャネル情報出力部と、
第１の動作モードと、前記第１の動作モードより相対的に動作時の消費電力が高い第２の動作モードとを有する無線通信モジュールであって、前記第１の動作モードで動作するときは、通信データの送信を開始させる通信開始指示の入力のみを受け付けてその他の処理を行わず、前記通信開始指示が入力された場合、前記第２の動作モードに移行し、前記第２の動作モードで動作するときは、前記チャネル情報出力部が出力した前記通信開始指示に含まれる前記通信チャネル情報が示す通信チャネルで、前記無線通信アンテナを介して外部の端末に前記通信データを送信する無線通信モジュールと、
を有することを特徴とする無線通信端末。
【請求項２】
前記チャネル情報出力部は、前記信号から前記情報を復調する復調部を有し、前記復調部で復調された前記情報から前記通信チャネル情報を検出する
ことを特徴とする請求項１に記載の無線通信端末。
【請求項３】
前記チャネル情報出力部は、前記通信チャネル情報を保持する保持部を更に有し、前記通信モジュールが前記第２の動作モードに移行して動作するときに前記通信チャネル情報を出力する
ことを特徴とする請求項２に記載の無線通信端末。
【請求項４】
前記チャネル情報出力部は、前記復調部が前記信号から前記情報を復調し、当該復調部で復調された前記情報から前記通信チャネル情報を検出した際に前記通信チャネル情報を出力する
ことを特徴とする請求項２に記載の無線通信端末。
【請求項５】
前記信号を整流する整流部を更に有し、
前記復調部は、前記整流部で整流された電力で動作する
ことを特徴とする請求項２に記載の無線通信端末。
【請求項６】
前記チャネル情報出力部は、前記整流部で整流された電力値が所定の値以上になった場合、前記通信チャネル情報を出力する
ことを特徴とする請求項５に記載の無線通信端末。
【請求項７】
前記整流部で整流された電力を前記復調部に供給するか否かを切り替える第１電源開閉部を更に有する
ことを特徴とする請求項５に記載の無線通信端末。
【請求項８】
前記第１電源開閉部は、所定の間隔で前記復調部への電力供給の開始停止を実施する
ことを特徴とする請求項７に記載の無線通信端末。
【請求項９】
前記第１電源開閉部は、前記チャネル情報出力部が前記通信チャネル情報を検出した場合、前記復調部への電力供給を停止する
ことを特徴とする請求項７に記載の無線通信端末。
【請求項１０】
前記無線通信モジュールは、前記整流部で整流された電力で動作する
ことを特徴とする請求項５に記載の無線通信端末。
【請求項１１】
前記整流部で整流された電力を前記無線通信モジュールに供給するか否かを切り替える第２電源開閉部を更に有する
ことを特徴とする請求項１０に記載の無線通信端末。
【請求項１２】
前記第２電源開閉部は、前記チャネル情報出力部が前記通信チャネル情報を検出した場合、前記無線通信モジュールへの電力供給を開始する
ことを特徴とする請求項１１に記載の無線通信端末。
【請求項１３】
前記第２電源開閉部は、前記無線通信モジュールによる通信が終了した場合、前記無線通信モジュールへの電力供給を停止する
ことを特徴とする請求項１２に記載の無線通信端末。
【請求項１４】
前記無線通信端末は、体内に設置される端末である
ことを特徴とする請求項１に記載の無線通信端末。
【請求項１５】
前記無線通信端末は、体外に設置される端末である
ことを特徴とする請求項１に記載の無線通信端末。
【発明の詳細な説明】
【技術分野】
【０００１】
本発明は、無線通信端末に関する。
【背景技術】
【０００２】
医療・ヘルスケア分野では、各種センサを備えた端末を用いて人体表面または体内から生体データを収集し、端末が収集した生体データを蓄積装置に転送して蓄積することで、蓄積装置が蓄積した生体データを健康管理や、病気の診断や、治療などに役立てようとする取り組みが盛んに進められている。このような用途では、生体データを転送するために端末と蓄積装置との間を有線ケーブルでつなぐと行動の自由が制限されてしまうため、無線通信で生体データを転送するようにし、端末を自由に持ち歩くことができるようにすることが望ましい。このようなニーズは、医療分野、特に植込み型医療機器ではより大きい。
【０００３】
しかし、このような無線通信システムでは、無線を用いてデータを転送するため、種々な干渉により通信エラーが発生することがあり、これを解決したいとの要望がある。このような要望に対して、複数のチャネルのうち各無線通信システムが互いに干渉しないようなチャネルを選択して使用する干渉回避技術の検討が進んでいる。例えば、蓄積装置が複数のチャネルを順次走査し、端末からの応答を探すことによってチャネルを変更する無線通信システムが知られている（例えば、特許文献１参照）。
【先行技術文献】
【特許文献】
【０００４】
【特許文献１】特表２０１０−５２１２２３号公報
【発明の概要】
【発明が解決しようとする課題】
【０００５】
しかしながら、特許文献１に記載の技術では、蓄積装置が複数のチャネルを順次走査している間、端末は応答を返すために常に動作しつづける必要があり、チャネル変更の際に余分な電力を消費してしまうという問題があった。
【０００６】
本発明は、上記の問題を解決するためになされたものであり、チャネル変更に必要な電力消費をより低減することができる無線通信端末を提供することを目的とする。
【課題を解決するための手段】
【０００７】
本発明は、無線通信アンテナと、前記無線通信アンテナを介して受信される信号が示す情報に含まれる通信チャネル情報を検出し、当該通信チャネル情報を出力するチャネル情報出力部と、第１の動作モードと、前記第１の動作モードより相対的に動作時の消費電力が高い第２の動作モードとを有する無線通信モジュールであって、前記第１の動作モードで動作するときは、通信データの送信を開始させる通信開始指示の入力のみを受け付けてその他の処理を行わず、前記通信開始指示が入力された場合、前記第２の動作モードに移行し、前記第２の動作モードで動作するときは、前記チャネル情報出力部が出力した前記通信開始指示に含まれる前記通信チャネル情報が示す通信チャネルで、前記無線通信アンテナを介して外部の端末に前記通信データを送信する無線通信モジュールと、を有することを特徴とする無線通信端末である。
【０００８】
また、本発明の無線通信端末において、前記チャネル情報出力部は、前記信号から情報を復調する復調部を有し、前記復調部で復調された情報から前記通信チャネル情報を検出することを特徴とする。
【０００９】
また、本発明の無線通信端末において、前記チャネル情報出力部は、前記通信チャネル情報を保持する保持部を更に有し、前記通信モジュールが前記第２の動作モードに移行して動作するときに前記通信チャネル情報を出力することを特徴とする。
【００１０】
また、本発明の無線通信端末において、前記チャネル情報出力部は、前記復調部が前記信号から前記情報を復調し、当該復調部で復調された前記情報から前記通信チャネル情報を検出した際に前記通信チャネル情報を出力することを特徴とする。
【００１１】
また、本発明は、前記信号を整流する整流部を更に有し、前記復調部は、前記整流部で整流された電力で動作することを特徴とする無線通信端末である。
【００１２】
また、本発明の無線通信端末において、前記チャネル情報出力部は、前記整流部で整流された電力値が所定の値以上になった場合、前記通信チャネル情報を出力することを特徴とする。
【００１３】
また、本発明は、前記整流部で整流された電力を前記復調部に供給するか否かを切り替える第１電源開閉部を更に有することを特徴とする無線通信端末である。
【００１４】
また、本発明の無線通信端末において、前記第１電源開閉部は、所定の間隔で前記復調部への電力供給の開始停止を実施することを特徴とする。
【００１５】
また、本発明の無線通信端末において、前記第１電源開閉部は、前記チャネル情報出力部が前記通信チャネル情報を検出した場合、前記復調部への電力供給を停止することを特徴とする。
【００１６】
また、本発明の無線通信端末において、前記無線通信モジュールは、前記整流部で整流された電力で動作することを特徴とする。
【００１７】
また、本発明は、前記整流部で整流された電力を前記無線通信モジュールに供給するか否かを切り替える第２電源開閉部を更に有することを特徴とする無線通信端末である。
【００１８】
また、本発明の無線通信端末において、前記第２電源開閉部は、前記チャネル情報出力部が前記通信チャネル情報を検出した場合、前記無線通信モジュールへの電力供給を開始することを特徴とする。
【００１９】
また、本発明の無線通信端末において、前記第２電源開閉部は、前記無線通信モジュールによる通信が終了した場合、前記無線通信モジュールへの電力供給を停止することを特徴とする。
【００２０】
また、本発明の無線通信端末において、前記無線通信端末は、体内に設置される端末であることを特徴とする。
【００２１】
また、本発明の無線通信端末において、前記無線通信端末は、体外に設置される端末であることを特徴とする。
【発明の効果】
【００２２】
本発明によれば、チャネル情報出力部は、無線通信アンテナを介して受信される信号が示す情報に含まれる通信チャネル情報を検出し、当該通信チャネル情報を出力する。また、無線通信モジュールは、第１の動作モードと、第１の動作モードより相対的に動作時の消費電力が高い第２の動作モードとを有し、第２の動作モードで動作するときに、チャネル情報出力部が出力した通信チャネル情報が示す通信チャネルで、無線通信アンテナを介して外部の端末に通信データを送信する。
【００２３】
これにより、無線通信で用いるチャネルを変更した場合においてもチャネルを検索することなく無線通信を行うことが出来る。従って、チャネル変更の際に必要な電力消費をより低減することができる。
【図面の簡単な説明】
【００２４】
【図１】本発明の第１の実施形態における生体データ監視システムの構成を示した概略図である。
【図２】本発明の第１の実施形態における無線センシング端末の構成を示したブロック図である。
【図３】本発明の第１の実施形態における無線センシング端末の構成を示したブロック図である。
【図４】本発明の第１の実施形態におけるデータ収集端末の構成を示したブロック図である。
【図５】本発明の第１の実施形態におけるチャネル情報出力部の構成を示したブロック図である。
【図６】本発明の第２の実施形態におけるチャネル情報出力部の構成を示したブロック図である。
【図７】本発明の第３の実施形態における無線センシング端末の構成を示したブロック図である。
【図８】本発明の第４の実施形態における無線センシング端末の構成を示したブロック図である。
【図９】本発明の第５の実施形態における無線センシング端末の構成を示したブロック図である。
【図１０】本発明の第６の実施形態における無線センシング端末の構成を示したブロック図である。
【図１１】本発明の第６の実施形態におけるデータ収集端末の構成を示したブロック図である。
【発明を実施するための形態】
【００２５】
（第１の実施形態）
以下、本発明の第１の実施形態について図を参照しながら説明する。図１は、本実施形態における生体データ監視システムの構成を示した概略図である。生体データ監視システム１は、無線センシング端末１０と、データ収集端末２０とを備える。無線センシング端末１０は、各種センサを使って人体表面または体内から血圧、脈拍、心電、心拍、血中酸素濃度、体温、尿糖、血糖等の生体データを取得する。また、無線センシング端末１０は、各種センサを使って無線センシング端末１０が備える各部の状態を示す機器状態データを取得する。また、無線センシング端末１０は、取得した生体データ及び機器状態データをデータ収集端末２０に無線伝送する。データ収集端末２０は、無線センシング端末１０から無線伝送される生体データ及び機器状態データを収集して保存する。なお、無線センシング端末１０は体内に設置される。また、データ収集端末２０は体外に設置される。
【００２６】
なお、本実施形態では、無線センシング端末１０とデータ収集端末２０とが１対１で無線通信を行うものとして説明を行うが、１対Ｎ、Ｍ対１、Ｍ対Ｎのいずれの関係においても、本発明は適用可能である（ＮおよびＭは自然数）。
【００２７】
次に、無線センシング端末１０の構成について説明する。図２は、本実施形態における無線センシング端末１０の構成を示したブロック図である。図示する例では、無線センシング端末１０は、センサ部１１と、保持部１２と、チャネル情報出力部１３と、制御部１４と、無線通信部１５（無線通信モジュール）と、アンテナ１６（無線通信アンテナ）とを備える。なお、無線センシング端末１０は、図示せぬ電池を備えている。電池は、無線センシング端末１０が備える各部に電力を供給している。なお、本発明の特徴を表す必須構成は、チャネル情報出力部１３と、無線通信部１５と、アンテナ１６である。
【００２８】
センサ部１１は、人体表面または体内に設置され、血圧、脈拍、心電、心拍、血中酸素濃度、体温、尿糖、血糖等をセンシングして生体データを取得する。また、センサ部１１は、無線センシング端末１０が備える各部の状態をセンシングして機器状態データを取得する。以下、センサ部１１が取得する生体データや機器状態データなどを収集データと記載する。また、センサ部１１は、収集データを保持部１２に対して出力する。
【００２９】
保持部１２は、センサ部１１が出力した収集データを取得して保持し、保持した収集データを制御部１４の制御に従って無線通信部１５に対して出力する。チャネル情報出力部１３は、データ収集端末２０から送信される信号を、アンテナ１６を介して受信し、受信した信号が示す情報（すなわち、信号を復調した通信パケットに記載された情報）に含まれる通信チャネル情報（図３に示す）を検出する。
【００３０】
通信チャネル情報は、無線センシング端末１０とデータ収集端末２０との無線通信で用いるチャネルを特定する情報である。また、チャネル情報出力部１３は、検出した通信チャネル情報を制御部１４に対して出力する。チャネル情報出力部１３の詳細な構成については後述する。
【００３１】
制御部１４は、チャネル情報出力部１３から入力された通信チャネル情報で特定されるチャネルを用いて通信するよう、無線通信部１５に対して通信チャネル情報を含む通信開始指示情報を出力する。また、制御部１４は、保持部１２を制御し、保持部１２が保持している収集データを無線通信部１５に対して出力させる。
【００３２】
無線通信部１５は休止モード（第１の動作モード）と送信モード（第２の動作モード）との２種類の動作モードで動作する。無線通信部１５は、休止モードで動作する場合、制御部１４から入力される通信開始指示情報の入力のみ受け付け、その他の処理は行わない。そのため、無線通信部１５は、休止モードで動作している場合には消費電力を抑えることができる。また、無線通信部１５は、休止モードで動作している場合に制御部１４から通信開始指示情報が入力された場合、送信モードに移行し、送信モードで動作する。無線通信部１５は、送信モードで動作する場合、アンテナ１６を介して、保持部１２から入力された収集データを、通信チャネル情報で特定されるチャネルを用いてデータ収集端末２０に対して送信する。なお、無線通信部１５は、送信モードで動作している場合は無線送信を行うため、休止モードよりも消費電力は大きい。
【００３３】
次に、通信チャネル情報が含まれる通信パケットのフレーム構成について説明する。図３は、本実施形態における通信チャネル情報が含まれる通信パケットのフレーム構成を示した概略図である。図示する例では、通信チャネル情報が含まれる通信パケットは、プリアンブルと、ＩＤと、通信チャネル情報とを含んでいる。プリアンブルは、フレーム送信の開始を示す情報である。ＩＤは、無線センシング端末を一意に特定する情報である。通信チャネル情報は上述した通りである。
【００３４】
次に、データ収集端末２０の構成について説明する。図４は、本実施形態におけるデータ収集端末２０の構成を示したブロック図である。図示する例では、データ収集端末２０は、無線通信部２１と、チャネル情報送信部２２と、データ処理部２３と、記憶部２４と、表示部２５と、アンテナ２６とを備える。なお、データ収集端末２０は、図示せぬ電池を備えている。電池は、データ収集端末２０が備える各部に電力を供給している。
【００３５】
無線通信部２１は、無線センシング端末１０と無線通信を行う際に用いるチャネルを選択し、選択したチャネルを特定する情報である通信チャネル情報をチャネル情報送信部２２に対して出力する。無線センシング端末１０と無線通信を行う際に用いるチャネルの選択方法としては、例えば、複数のチャネルのうち、測定した受信電力が最低となるチャネルを選択する。また、無線通信部２１は、無線センシング端末１０から収集データの受信を開始する場合、アンテナ２６を介して、無線センシング端末１０に対して、電磁波を用いてデータ要求信号を送信する。なお、無線センシング端末１０に対してデータ要求信号を送信するタイミングは、ユーザからの指示や、所定のタイミングなど、どのようなタイミングとしてもよい。また、無線通信部２１は、無線センシング端末１０から電磁波を用いて送信された収集データを、アンテナ２６を介して受信し、受信した収集データをデータ処理部２３に対して出力する。
【００３６】
チャネル情報送信部２２は、無線センシング端末１０との無線通信で用いているチャネルの変更が必要となった時に、無線通信部２１から入力された通信チャネル情報を含む信号を無線センシング端末１０に対してアンテナ２６を介して出力する。データ処理部２３は、無線通信部２１から入力された収集データのデータ形式を記憶用のデータ形式に変換して記憶用データを生成し、生成した記憶用データを記憶部２４に対して出力する。また、データ処理部２３は、無線通信部２１から入力された収集データを文字や画像などの表示データに変換し、変換した表示データを表示部２５に対して出力する。記憶部２４は、データ処理部２３から入力された記憶用データを記憶する。表示部２５は、データ処理部２３から入力された表示データを表示する。この構成により、データ収集端末２０は、無線センシング端末１０から送信された収集データを表示部２５に表示させることができ、記憶部２４に記憶させることができる。
【００３７】
次に、無線センシング端末１０が備えるチャネル情報出力部１３の構成について説明する。図５は、本実施形態におけるチャネル情報出力部１３の構成を示したブロック図である。図示する例では、チャネル情報出力部１３はチャネル情報復調部１３１を備える。チャネル情報復調部１３１は、アンテナ１６を介して、データ収集端末２０から送信された信号を受信する。そして、チャネル情報復調部１３１は、受信した信号を復調して通信チャネル情報を検出し、検出した通信チャネル情報を制御部１４に対して出力する。
【００３８】
次に、本実施形態における無線センシング端末１０とデータ収集端末２０との収集データの送受信手順について説明する。なお、無線センシング端末１０のセンサ部１１は、常に収集データを取得して保持部１２に対して出力し、保持部１２はセンサ部１１から入力される収集データを保持している。
【００３９】
データ収集端末２０の無線通信部２１は、無線センシング端末１０と無線通信を行う際に用いるチャネルを選択し、選択したチャネルを特定する情報である通信チャネル情報をチャネル情報送信部２２に対して出力する。チャネル情報送信部２２は、無線通信部２１から入力された通信チャネル情報を含む信号を無線センシング端末１０に対してアンテナ２６を介して出力する。
【００４０】
無線センシング端末１０のチャネル情報出力部１３は、データ収集端末２０から送信される信号を、アンテナ１６を介して受信し、受信した信号を復調して通信チャネル情報を検出する。また、チャネル情報出力部１３は、検出した通信チャネル情報を制御部１４に対して出力する。制御部１４は、チャネル情報出力部１３から入力された通信チャネル情報で特定されるチャネルを用いて通信するよう、無線通信部１５に対して通信チャネル情報を含む通信開始指示情報を出力する。また、制御部１４は、保持部１２を制御し、保持部１２が保持している収集データを無線通信部１５に対して出力させる。保持部１２は、保持した収集データを無線通信部１５に対して出力する。無線通信部１５は、制御部１４から通信開始指示情報が入力された場合、アンテナ１６を介して、保持部１２から入力された収集データを、電磁波を用いてデータ収集端末２０に対して送信する。このとき、無線通信部１５は、通信開始指示情報に含まれる通信チャネル情報で特定されるチャネルを用いて収集データをデータ収集端末２０に対して送信する。
【００４１】
データ収集端末２０の無線通信部２１は、無線センシング端末１０から電磁波を用いて送信された収集データを、アンテナ２６を介して受信し、受信した収集データをデータ処理部２３に対して出力する。データ処理部２３は、無線通信部２１から入力された収集データのデータ形式を記憶用のデータ形式に変換して記憶用データを生成し、生成した記憶用データを記憶部２４に対して出力する。また、データ処理部２３は、無線通信部２１から入力された収集データを文字や画像などの表示データに変換し、変換した表示データを表示部２５に対して出力する。記憶部２４は、データ処理部２３から入力された記憶用データを記憶する。表示部２５は、データ処理部２３から入力された表示データを表示する。
【００４２】
上述した通り、本実施形態によれば、データ収集端末２０の無線通信部２１は、無線センシング端末１０との無線通信で用いるチャネルを決定する。また、チャネル情報送信部２２は、無線通信部２１が決定したチャネルを特定する通信チャネル情報を含む信号を無線センシング端末１０に対して送信する。無線センシング端末１０のチャネル情報出力部１３は、データ収集端末２０から受信した信号が示す情報（すなわち、信号を復調した通信パケットに記載された情報）に含まれる通信チャネル情報を検出し、この通信チャネル情報を出力する。無線通信部１５は、チャネル情報出力部１３が出力する通信チャネル情報で特定されるチャネルを用いて、収集データをデータ収集端末２０に対してアンテナ１６を介して送信する。
【００４３】
この構成により、無線センシング端末１０の無線通信部１５は、チャネル情報出力部１３が出力する通信チャネル情報に基づいてデータ収集端末２０が無線通信で用いるチャネルを特定することができる。よって、無線センシング端末１０の無線通信部１５は、データ収集端末２０が無線通信で用いるチャネルを変更した場合においても、チャネルを検索することなくデータ収集端末２０と無線通信を行うことが出来る。従って、無線センシング端末１０は、チャネル変更の際に必要な電力消費をより低減することができる。
【００４４】
なお、チャネル情報送信部２２が通信チャネル情報を含む信号の送信に用いるチャネルは、無線通信部２１が用いるチャネル群のうちの１つのチャネルを用いても良いし、無線通信部２１が用いるチャネル以外の別の周波数のチャネルを用いても良い。
【００４５】
（第２の実施形態）
次に、本発明の第２の実施形態について図を参照しながら説明する。本実施形態における生体監視システムは、第１の実施形態と同様に、無線センシング端末とデータ収集端末とを備える。本実施形態と第１の実施形態とで異なる点は、無線センシング端末が備えるチャネル情報出力部の構成である。なお、本実施形態における無線センシング端末が備える他の構成は、第１の実施形態における構成と同様である。また、本実施形態におけるデータ収集端末は、第１の実施形態におけるデータ収集端末２０と同様の構成である。
【００４６】
次に、無線センシング端末が備えるチャネル情報出力部の構成について説明する。図６は、本実施形態におけるチャネル情報出力部３３の構成を示したブロック図である。図示する例では、チャネル情報出力部３３は、チャネル情報復調部１３１と、チャネル情報保持部３３１とを備える。
【００４７】
チャネル情報復調部１３１は、アンテナ１６を介して、データ収集端末２０から送信された信号を受信する。そして、チャネル情報復調部１３１は、受信した信号が示す情報（すなわち、信号を復調してた通信パケットに記載された情報）に含まれる通信チャネル情報を検出し、検出した通信チャネル情報をチャネル情報保持部３３１に対して出力する。チャネル情報保持部３３１は、不揮発メモリであり、チャネル情報復調部１３１から入力された通信チャネル情報を記憶する。チャネル情報保持部３３１は不揮発メモリであるため、通信チャネル情報を記憶後に電源供給を受けなくともチャネル情報を保持することができる。また、チャネル情報保持部３３１は、制御部１４の制御に基づいて、記憶している通信チャネル情報を制御部１４に対して出力する。
【００４８】
上述したように、チャネル情報出力部３３は、チャネル情報保持部３３１を備えているため、通信チャネル情報を記憶することができる。また、チャネル情報保持部３３１は不揮発メモリであるため、電源供給を受けなくても通信チャネル情報を保持することができる。よって、無線センシング端末は、スリープ後に起動した場合においてデータ収集端末２０に収集データを送信する際においても、チャネル情報保持部３３１が記憶している通信チャネル情報を用いて通信に用いるチャネルを特定することができるため、より迅速に収集データをデータ収集端末２０に対して送信することができる。
【００４９】
（第３の実施形態）
次に、本発明の第３の実施形態について図を参照しながら説明する。本実施形態における生体監視システムは、第１の実施形態と同様に、無線センシング端末とデータ収集端末とを備える。データ収集端末の構成は、第１の実施形態におけるデータ収集端末２０と同様の構成である。
【００５０】
図７は、本実施形態における無線センシング端末６０の構成を示したブロック図である。図示する例では、無線センシング端末６０は、センサ部１１と、保持部１２と、チャネル情報出力部１３と、制御部１４と、無線通信部１５と、アンテナ１６と、整流部６１とを備える。センサ部１１と、保持部１２と、チャネル情報出力部１３と、制御部１４と、無線通信部１５と、アンテナ１６とは、第１の実施形態における各部と同様である。なお、無線センシング端末６０は、図示せぬ電池を備えている。電池は、無線センシング端末６０が備える各部に電力を供給している。
【００５１】
整流部６１は、アンテナ１６を介して、データ収集端末２０から送信された電磁波（信号）を受信する。そして、整流部６１は、受信した電磁波を整流して直流電圧に変換し、変換した直流電圧をチャネル情報出力部１３に対して出力する。これにより、チャネル情報出力部１３は、整流部６１が出力する直流電圧を用いて動作することができる。
【００５２】
上述した通り、無線センシング端末６０は整流部６１を備えており、チャネル情報出力部１３は整流部６１が生成した電力で動作して通信チャネル情報を検出する。従って、チャネル変更の際に必要な電力消費をより低減することができる。
【００５３】
（第４の実施形態）
次に、本発明の第４の実施形態について図を参照しながら説明する。本実施形態における生体監視システムは、第１の実施形態と同様に、無線センシング端末とデータ収集端末とを備える。データ収集端末の構成は、第１の実施形態におけるデータ収集端末２０と同様の構成である。
【００５４】
図８は、本実施形態における無線センシング端末７０の構成を示したブロック図である。図示する例では、無線センシング端末７０は、センサ部１１と、保持部１２と、チャネル情報出力部１３と、制御部１４と、無線通信部１５と、アンテナ１６と、整流部６１と、第１電源開閉部７１とを備える。センサ部１１と、保持部１２と、チャネル情報出力部１３と、制御部１４と、無線通信部１５と、アンテナ１６とは、第１の実施形態における各部と同様である。なお、無線センシング端末７０は、図示せぬ電池を備えている。電池は、無線センシング端末７０が備える各部に電力を供給している。
【００５５】
整流部６１は、アンテナ１６を介して、データ収集端末２０から送信された電磁波（信号）を受信する。そして、整流部６１は、受信した電磁波を整流して直流電圧に変換し、変換した直流電圧を第１電源開閉部７１に対して出力する。第１電源開閉部７１は、制御部１４の制御に従って、整流部６１から入力される直流電圧をチャネル情報出力部１３に対して供給する。例えば、制御部１４は、第１電源開閉部７１に対して定期的に電源供給開始を指示し、整流部６１が出力する電圧をチャネル情報出力部１３に対して供給させる。そして、制御部１４は、チャネル情報出力部１３が通信チャネル情報を出力した後に、第１電源開閉部７１に対して電源供給停止を指示し、整流部６１が出力する電圧をチャネル情報出力部１３に供給することを停止させる。なお、無線通信部１５の動作モードに応じて、電源供給の開始周期を変えてもよい。
【００５６】
上述した通り、無線センシング端末７０は第１電源開閉部７１を備えている。第１電源開閉部７１は制御部１４の制御に基づいて、整流部６１が出力する直流電圧をチャネル情報出力部１３に対して供給する。また、第１電源開閉部７１は制御部１４の制御に基づいて、整流部６１が出力する電圧をチャネル情報出力部１３に供給することを停止する。これにより、無線センシング端末７０は、整流部６１の電源変換効率が低い場合でも、整流部６１が出力する電圧を用いてチャネル情報出力部１３を動作させることができ、チャネル変更の処理を行うことができる。
【００５７】
（第５の実施形態）
次に、本発明の第５の実施形態について図を参照しながら説明する。本実施形態における生体監視システムは、第１の実施形態と同様に、無線センシング端末とデータ収集端末とを備える。データ収集端末の構成は、第１の実施形態におけるデータ収集端末２０と同様の構成である。
【００５８】
図９は、本実施形態における無線センシング端末８０の構成を示したブロック図である。図示する例では、無線センシング端末８０は、センサ部１１と、保持部１２と、チャネル情報出力部１３と、制御部１４と、無線通信部１５と、アンテナ１６と、整流部６１と、第１電源開閉部７１と、第２電源開閉部８１とを備える。センサ部１１と、保持部１２と、チャネル情報出力部１３と、制御部１４と、無線通信部１５と、アンテナ１６とは、第１の実施形態における各部と同様である。なお、無線センシング端末８０は、図示せぬ電池を備えている。電池は、無線センシング端末８０が備える各部に電力を供給している。
【００５９】
整流部６１は、アンテナ１６を介して、データ収集端末２０から送信された電磁波（信号）を受信する。そして、整流部６１は、受信した電磁波を整流して直流電圧に変換し、変換した直流電圧を第１電源開閉部７１と第２電源開閉部８１とに対して出力する。第１電源開閉部７１は、制御部１４の制御に従って、整流部６１から入力される直流電圧をチャネル情報出力部１３に対して供給する。第２電源開閉部８１は、制御部１４の制御に従って、整流部６１から入力される直流電圧を無線通信部１５に対して供給する。例えば、制御部１４は、チャネル情報出力部１３から通信チャネル情報が入力された場合、第２電源開閉部８１に対して電源供給開始を指示し、整流部６１が出力する電圧を無線通信部１５に対して供給させる。そして、制御部１４は、無線通信部１５による通信が終了した場合、第２電源開閉部８１に対して電源供給停止を指示し、整流部６１が出力する電圧を無線通信部１５に供給することを停止させる。
【００６０】
上述した通り、無線センシング端末８０は第２電源開閉部８１を備えている。第２電源開閉部８１は制御部１４の制御に基づいて、整流部６１が出力する直流電圧を無線通信部１５に対して供給する。また、第２電源開閉部８１は制御部１４の制御に基づいて、整流部６１が出力する電圧を無線通信部１５に供給することを停止する。これにより、無線通信部１５は整流部６１が生成した電力で動作して収集データを送信することができる。従って、無線センシング端末８０が備える電池の消耗をより低減することができる。また、第１電源開閉部７１と第２電源開閉部８１とを連動して動作させることにより、チャネル変更処理と収集データの送信処理とを効率的に連携して行うことができる。
【００６１】
（第６の実施形態）
次に、本発明の第６の実施形態について図を参照しながら説明する。本実施形態における生体監視システムは、第１の実施形態と同様に、無線センシング端末とデータ収集端末とを備える。なお、第１の実施形態〜第５の実施形態では、データ収集端末から無線センシング端末に対して通信チャネル情報を送信することで無線通信に用いるチャネルを特定していたが、本実施形態では、無線センシング端末からデータ収集端末に対して通信チャネル情報を送信することで無線通信に用いるチャネルを特定する。
【００６２】
次に、無線センシング端末の構成について説明する。図１０は、本実施形態における無線センシング端末９０の構成を示したブロック図である。図示する例では、無線センシング端末９０は、センサ部１１と、保持部１２と、アンテナ１６と、無線通信部９１と、チャネル情報送信部９２とを備える。なお、無線センシング端末９０は、図示せぬ電池を備えている。電池は、無線センシング端末９０が備える各部に電力を供給している。
【００６３】
センサ部１１と、保持部１２と、アンテナ１６とは第１の実施形態における各部と同様である。無線通信部９１は、データ収集端末１００と無線通信を行う際に用いるチャネルを選択し、選択したチャネルを特定する情報である通信チャネル情報をチャネル情報送信部９２に対して出力する。データ収集端末１００と無線通信を行う際に用いるチャネルの選択方法としては、例えば、複数のチャネルのうち、他の無線と干渉しないチャネルを選択する。また、無線通信部９１は、アンテナ１６を介して、保持部１２から入力された収集データを、電磁波を用いてデータ収集端末１００に対して送信する。
【００６４】
次に、データ収集端末１００の構成について説明する。図１１は、本実施形態におけるデータ収集端末１００の構成を示したブロック図である。図示する例では、データ収集端末１００は、データ処理部２３と、記憶部２４と、表示部２５と、アンテナ２６と、チャネル情報出力部１０１と、制御部１０２と、無線通信部１０３とを備える。なお、データ収集端末２０は、図示せぬ電池を備えている。電池は、データ収集端末１００が備える各部に電力を供給している。
【００６５】
データ処理部２３と、記憶部２４と、表示部２５と、アンテナ２６とは第１の実施形態における各部と同様である。チャネル情報出力部１０１は、無線センシング端末９０から送信される信号を、アンテナ２６を介して受信し、受信した信号が示す情報（すなわち、信号を復調した通信パケットに記載された情報）に含まれる通信チャネル情報を検出する。通信チャネル情報は、無線センシング端末９０とデータ収集端末１００との無線通信で用いるチャネルを特定する情報である。また、チャネル情報出力部１０１は、検出した通信チャネル情報を制御部１０２に対して出力する。制御部１０２は、チャネル情報出力部１０１から入力された通信チャネル情報で特定されるチャネルを用いて通信するよう、無線通信部１０３に対して通信チャネル情報を含む通信開始指示情報を出力する。無線通信部１０３は、制御部１０２から通信開始指示情報が入力された場合、アンテナ１６を介して、無線センシング端末９０から送信される取得データの受信を開始する。
【００６６】
上述した通り、本実施形態によれば、無線センシング端末９０の無線通信部９１は、データ収集端末１００との無線通信で用いるチャネルを決定する。また、チャネル情報送信部９２は、無線通信部９１が決定したチャネルを特定する通信チャネル情報を含む信号をデータ収集端末１００に対して送信する。データ収集端末１００のチャネル情報出力部１０１は、無線センシング端末９０から受信した信号が示す情報（すなわち、信号を復調した通信パケット）に含まれる通信チャネル情報を検出し、この通信チャネル情報を出力する。無線通信部１０３は、チャネル情報出力部１０１が出力する通信チャネル情報で特定されるチャネルを用いて、無線センシング端末９０から送信される収集データを受信する。
【００６７】
この構成により、データ収集端末１００の無線通信部１０３は、チャネル情報出力部１０１が出力する通信チャネル情報に基づいて無線センシング端末９０が無線通信で用いるチャネルを特定することができる。よって、データ収集端末１００の無線通信部１０３は、無線センシング端末９０が無線通信で用いるチャネルを変更した場合においても、チャネルを検索することなく無線センシング端末９０と無線通信を行うことが出来る。従って、データ収集端末１００は、チャネル変更の際に必要な電力消費をより低減することができる。
【００６８】
なお、チャネル情報送信部９２が通信チャネル情報を含む信号の送信に用いるチャネルは、無線通信部９１が用いるチャネル群のうちの１つのチャネルを用いても良いし、無線通信部９１が用いるチャネル以外の別の周波数のチャネルを用いても良い。
【００６９】
以上、この発明の第１〜第６の実施形態について図面を参照して詳述してきたが、具体的な構成はこの実施形態に限られるものではなく、この発明の要旨を逸脱しない範囲の設計等も含まれる。例えば、第１〜第６の実施形態においては、無線センシング端末とデータ収集端末とが１対１で無線通信を行うものとして説明したが、１対Ｎ、Ｍ対１、Ｍ対Ｎのいずれの関係であっても本発明を適用することができる（ＮおよびＭは自然数）。
【符号の説明】
【００７０】
１・・・生体データ監視システム、１０，６０，７０，８０，９０・・・無線センシング端末、１１・・・センサ部、１２・・・保持部、１３，３３，１０１・・・チャネル情報出力部、１４，１０２・・・制御部、１５，２１，９１，１０３・・・無線通信部、１６，２６・・・アンテナ、２０，１００・・・データ収集端末、２２，９２・・・チャネル情報送信部、２３・・・データ処理部、２４・・・記憶部、２５・・・表示部、６１・・・整流部、７１・・・第１電源開閉部、８１・・・第２電源開閉部、１３１・・・チャネル情報復調部、３３１・・・チャネル情報保持部、
【図１】
0005901231.tif 000002
【図２】
0005901231.tif 000003
【図３】
0005901231.tif 000004
【図４】
0005901231.tif 000005
【図５】
0005901231.tif 000006
【図６】
0005901231.tif 000007
【図７】
0005901231.tif 000008
【図８】
0005901231.tif 000009
【図９】
0005901231.tif 000010
【図１０】
0005901231.tif 000011
【図１１】
0005901231.tif 000012